(57)【要約】【課題】ボウル面の前端部において左右両側の棚部から合流する洗浄水がボウル面の前端部から外部に飛散することを抑制することができる小便器装置を提供する。【解決手段】本発明は、洗浄水によりボウル面を洗浄する小便器１であって、小便器の正面において小便を受けるように形成されているボウル面８と、ボウル面内の上方領域の中央に設けられ、洗浄水をボウル面の左右方向に広がるように吐水する吐水装置２２と、を有し、ボウル面は、ボウル面の左右両側の領域から前端部の領域まで下降しながら延び、ボウル面の左右両側の領域上を流下する洗浄水の一部を前端部の領域に向けて導く棚部３２を有し、ボウル面の棚部３２は、ボウル面の前端部８ｅの領域において棚部を右側の棚部と左側の棚部とに分断する棚部のない領域３６を形成する凹部３２ｎを備えている。【選択図】図２
2017031642.tif 000002
【特許請求の範囲】
【請求項１】
洗浄水によりボウル面を洗浄する小便器であって、
上記小便器の正面において小便を受けるように形成されている上記ボウル面と、
上記ボウル面内の上方領域の中央に設けられ、洗浄水を上記ボウル面の左右方向に広がるように吐水する吐水装置と、を有し、
上記ボウル面は、上記ボウル面の左右両側の領域から前端部の領域まで下降しながら延び、上記ボウル面の左右両側の領域上を流下する洗浄水の一部を前端部の領域に向けて導く棚部を有し、
上記ボウル面の上記棚部は、上記ボウル面の前端部の領域において上記棚部を右側の棚部と左側の棚部とに分断する棚部のない領域を形成する凹部を備えていることを特徴とする小便器。
【請求項２】
上記凹部の凹部底面は、上記ボウル面の底面により形成されている請求項１に記載の小便器。
【請求項３】
上記ボウル面は、上記ボウル面の上端から下方に向けて徐々に後退して形成されると共に、連続的に曲率半径が小さくなるように形成されている請求項１又は２に記載の小便器。
【請求項４】
上記ボウル面は、上記ボウル面の右側端部と、上記ボウル面の左側端部とが、下方に向かうにつれて前方に突出するように形成されている請求項１乃至３の何れか１項に記載の小便器。
【発明の詳細な説明】
【技術分野】
【０００１】
本発明は、小便器に係り、特に、洗浄水によりボウル面を洗浄する小便器に関する。
【背景技術】
【０００２】
従来から、特許文献１に示すように、小便器において、ボウル面の側壁の内面に導水段部を設け、比較的大量の洗浄水を導水段部により広範囲に導いてボウル面を洗浄しようとするものが知られている。このような導水段部は、ボウル面の前壁の内面の領域においては、ボウル面の前壁の内面を先端まで洗浄するため、ボウル面の前壁の内面の中央において、右側の導水段部と左側の導水段部とが接続されて、それぞれの導水段部上の流路が中央で合流されるように形成されている。
【先行技術文献】
【特許文献】
【０００３】
【特許文献１】特開２００１−１１５５３３号公報
【発明の概要】
【発明が解決しようとする課題】
【０００４】
ボウル面に導水段部が設けられているような場合に、ボウル面上において洗浄水が洗浄できる洗浄範囲を増大させるため、すなわちボウル面上において洗浄水が洗浄できない不洗浄範囲を減少させるために、導水段部をボウル面の比較的高い位置に配置し、ボウル面の上縁近傍まで洗浄水を導きながら、ボウル面を洗浄することが検討されている。
しかしながら、導水段部をボウル面の比較的高い位置に配置しようとする場合、ボウル面の前端部において、右側の導水段部と左側の導水段部とが比較的高い位置で接続され、両方の導水段部上の洗浄水の流れが比較的高い位置で合流することとなるため、洗浄水がボウル面の前端部から外部に飛散するという問題が生じていた。
【０００５】
本発明は、上述した問題を解決するためになされたものであり、棚部がボウル面の前端部の領域において棚部を右側の棚部と左側の棚部とに分断する棚部のない内側領域を形成する凹部を備えているので、ボウル面の前端部において左右両側の棚部から合流する洗浄水がボウル面の前端部から外部に飛散することを抑制することができる小便器を提供することを目的としている。
【課題を解決するための手段】
【０００６】
上記の目的を達成するために、本発明は、洗浄水によりボウル面を洗浄する小便器であって、小便器の正面において小便を受けるように形成されているボウル面と、ボウル面内の上方領域の中央に設けられ、洗浄水をボウル面の左右方向に広がるように吐水する吐水装置と、を有し、ボウル面は、ボウル面の左右両側の領域から前端部の領域まで下降しながら延び、ボウル面の左右両側の領域上を流下する洗浄水の一部を前端部の領域に向けて導く棚部を有し、ボウル面の棚部は、ボウル面の前端部の領域において棚部を右側の棚部と左側の棚部とに分断する棚部のない領域を形成する凹部を備えていることを特徴とする小便器ことを特徴としている。
このように構成された本発明においては、棚部がボウル面の前端部の領域において棚部を右側の棚部と左側の棚部とに分断する棚部のない領域を形成する凹部を備えているので、左右両側の棚部上をボウル面の前端部の領域に向かって流下する洗浄水が、凹部の棚部のない領域において落下しながら合流される。従って、ボウル面の前端部において左右両側の棚部から合流する洗浄水がボウル面の前端部から外部に飛散することを抑制することができる。
【０００７】
本発明において、好ましくは、凹部の凹部底面は、ボウル面の底面により形成されていることを特徴としている。
このように構成された本発明においては、凹部の凹部底面をボウル面の底面までボウル面内の最も低い部分に形成することができる。従って、凹部の棚部のない領域で合流された洗浄水が、ボウル面の底を形成する凹部底面に着水するので、合流した洗浄水及び凹部底面に着水した洗浄水がボウル面の前端部から外部に飛散することをより確実に抑制することができる。
【０００８】
本発明において、好ましくは、ボウル面は、ボウル面の上端から下方に向けて徐々に後退して形成されると共に、連続的に曲率半径が小さくなるように形成されている。
このように構成された本発明においては、ボウル面は、ボウル面の上端から下方に向けて徐々に後退して形成されると共に、連続的に曲率半径が小さくなるように形成されているので、ボウル面の下方において、洗浄水がボウル面から外部に飛散することをより確実に抑制することができる。
【０００９】
本発明において、好ましくは、ボウル面は、ボウル面の右側端部と、ボウル面の左側端部とが、下方に向かうにつれて前方に突出するように形成されている。
このように構成された本発明においては、ボウル面は、ボウル面の右側端部と、ボウル面の左側端部とが、下方に向かうにつれて前方に突出するように形成されているので、ボウル面の下方において、洗浄水がボウル面から外部に飛散することをより確実に抑制することができる。
【発明の効果】
【００１０】
本発明の小便器によれば、棚部がボウル面の前端部の領域において棚部を右側の棚部と左側の棚部とに分断する棚部のない内側領域を形成する凹部を備えているので、ボウル面の前端部において左右両側の棚部から合流する洗浄水がボウル面の前端部から外部に飛散することを抑制することができる。
【図面の簡単な説明】
【００１１】
【図１】本発明の一実施形態による小便器を示す全体斜視図である。
【図２】図１の小便器の上面図である。
【図３】図１の小便器の中央断面図である。
【図４】図３のIV-IV線に沿って見た断面図である。
【図５】図３のV-V線に沿って見た断面図である。
【図６】図３のVI-VI線に沿って見た断面図である。
【図７】図５の棚部の逆傾斜面の近傍部分を拡大して示す部分拡大断面図である。
【図８】図３のVIII-VIII線に沿って見た断面図である。
【図９】図３のIX-IX線に沿って見た断面図である。
【図１０】図３のX-X線に沿って見た断面図である。
【図１１】本発明の一実施形態による小便器の棚部の全体における、第１順傾斜面、逆傾斜面及び第２順傾斜面の傾斜の変化の様子を示す概略図である。
【発明を実施するための形態】
【００１２】
添付図面を参照して、本発明の一実施形態による小便器を説明する。先ず、図１乃至図３により小便器の基本構造を説明する。図１は本発明の一実施形態による小便器を示す全体斜視図であり、図２は図１の小便器の上面図であり、図３は図１の小便器の中央断面図である。
【００１３】
図１乃至図３に示すように、符号１は、本発明の一実施形態による小便器を示し、この小便器１は、陶器製の小便器本体２と、この小便器本体２を洗浄するための自動便器洗浄ユニット４（図３に図示され、他の図面においては省略する）を備えている。小便器１は自身の最下部が床面Ｇから浮かされた状態となるように背後の壁面Ｗに沿って取付けられる壁掛け式の小便器であるが、小便器１は床面上に直接配置される床置き式の小便器であってもよい。
【００１４】
小便器１の小便器本体２は、上方端に上述した自動便器洗浄ユニット４を収納するための収納室６と、この収納室６の前面７から下方に延びるボウル面８と、このボウル面８の底部に形成された排出口１０とを備えている。
【００１５】
収納室６は、小便器本体２と別体である蓋３により形成されている。また、収納室６の前面７は、詳細は後述するように、後方に向かって傾斜して形成されている。また、排出口１０には、目皿板（図示せず）が配置されている。さらに、排出口１０は、下流側に配置された排水トラップ管路１２及び排水配管１３に接続されている。
【００１６】
次に、図３により、自動便器洗浄ユニット４について説明する。
自動便器洗浄ユニット４は、水道等の給水源から洗浄水を供給する給水管１４と、給水管１４に設けられる流量調整装置１６と、給水管１４に取り付けられ給水の供給及び停止を行う開閉弁１８と、開閉弁１８から後述するスプレッダに洗浄水を供給する供給通路２０と、供給通路２０の先端に取り付けられた吐水部であるスプレッダ２２と、使用者の有無を検知する人体検知センサ２４と、人体検知センサ２４からの検知信号及び所定の制御プログラム等に基づいて開閉弁１８等を制御することができる制御ユニット２６と、を備えている。
【００１７】
流量調整装置１６は、給水管１４内を通過する洗浄水を適正な一定流量に調整することができる定流量弁である。流量調整装置１６は、流量センサ等を使用して洗浄水を適正な流量に調整することができる他の装置により構成されてもよい。流量調整装置１６は、制御ユニット２６により制御されるように構成されてもよい。開閉弁１８は、制御ユニット２６の制御信号により給水管１４の流路（及び下流側の供給通路２０の流路）を開閉する電磁弁である。開閉弁１８は、給水の供給及び停止を行うことができる他の流路開閉装置により構成されてもよい。
【００１８】
本実施形態においては、自動便器洗浄ユニット４は、給水管１４に取り付けられ給水の供給及び停止を行う開閉弁１８を備え、制御ユニット２６が開閉弁１８を開閉して供給通路２０への洗浄水の供給開始及び停止を制御している。
【００１９】
人体検知センサ２４は、小便器１の正面側（前方側）の使用者の有無及び使用者までの距離を検知する赤外線式のセンサである。この人体検知センサ２４により使用者が用を足して小便器１から所定距離離れたことを検知した場合に、制御ユニット２６から操作信号が発信され、この操作信号により、開閉弁１８が開となり、給水管１４からスプレッダ２２に洗浄水が供給され、小便器１のボウル面８が洗浄されるようになっている。なお、人体検知センサ２４は、赤外線式のセンサに限定されず、隠蔽可能な電波式センサ（マイクロ波センサ）であっても良い。
制御ユニット２６は、人体検知センサ２４の使用者の有無の検知結果を受けて、開閉弁１８を開閉させる制御を行う他、予め設定された所定時間、例えば２時間等の時間が経過するごとに、制御ユニット２６から操作信号が発信され、この操作信号により、開閉弁１８を開状態とする制御を行う。これにより、洗浄水が、給水管１４からスプレッダ２２に供給され、小便器１のボウル面８が洗浄され、排出口１０の下流側に配置された排水トラップ管路１２及び排水配管１３内の雑菌の繁殖を抑制し、尿石等の付着を抑制する設備保護洗浄を行えるようになっている。
【００２０】
図１等に示すように、この自動便器洗浄ユニット４において、スプレッダ２２が、小便器本体２の正面部８ａの収納室６の前面７に取り付けられている。スプレッダ２２は、ボウル面８内の上方領域のほぼ中央に設けられ、洗浄水をボウル面８の中央領域から左右両端部方向まで広がるように吐水する。スプレッダ２２は、洗浄水をボウル面８の中央領域から広範囲の左右領域まで広がるように吐水する吐水口部２８と、吐水口部２８に洗浄水を供給する供給通路３０と、を備えている。スプレッダ２２は、スプレッダ２２から吐水される洗浄水の単位時間あたりの流量を７．０リットル/分〜１３リットル/分の値の範囲としている。
【００２１】
吐水口部２８は、内部において供給通路３０の前端に接続され、スプレッダ２２の外周を下部から左右方向まで扇形に開口するように形成されている。このように扇形に開口する吐水口部２８は、洗浄水をボウル面８の左右両端近傍まで広がるように吐水させ、ボウル面８上の広範囲にわたって水流の水膜を形成しながら、水流が流れる領域のボウル面８の表面を洗浄することができる。供給通路３０は、給水管１４の先端に接続されている。
【００２２】
次に、図１乃至図３により、小便器１の小便器本体２のボウル面８の構造を説明する。
ボウル面８は、小便器において小便を受けるような内側に向けた面を形成している。ボウル面８は、小便器本体２において、収納室６の前面７と一体構造となっている。ボウル面８は、その上方側の部分において、収納室６の前面７と連続して形成されている。ここで、収納室６の前面７とボウル面８の「連続」は、収納室６の前面７とボウル面８が、面一に、又は、ほぼ面一に形成されていることを意味している。また、完全な面一である必要はなく、例えば、小さな段差があってもよく、収納室６の前面からボウル面８へと流れる洗浄水が剥離することがなければ良い。従って、スプレッダ２２から左右方向に拡がるように吐水された洗浄水がボウル面８の上部において滑らかに広がるように水膜を形成しながら流れることができる。
【００２３】
ボウル面８は、その上部から下部まで、前面が使用者に対向するように開いた円弧形状（アーチ形状）の正面部８ａを有している。ボウル面８は、ボウル面８のうち、スプレッダ２２が設けられている上方領域において、従来のようなボウル面から前方に壁状に突出する側面部が設けられておらず、正面部８ａのみから形成されている。
【００２４】
ボウル面８の正面部８ａは、左右方向に連続した凹曲面で形成されている。ボウル面８の正面部８ａのみから形成されている上方領域は、平面視において、ボウル面８の左側端部８ｂから右側端部８ｃまで１つの曲率半径Ｒで描かれる１つの円弧（曲率半径Ｒが途中で概ね変化しないような１つの円弧であり、シングルＲと称される円弧）に沿って形成されているシングルＲ領域を形成している。すなわち、シングルＲ領域においては曲面がほぼ単一の曲率半径Ｒを有するほぼ単一の円弧形状により形成されている。このシングルＲ領域においては、ボウル面８の上端８ｄから下方に向かうにつれて、円弧の曲率半径が徐々に減少するように形成され、曲率が徐々に増大するように形成されている。ボウル面８のシングルＲ領域よりさらに下方の領域は、２種類の曲率半径Ｒを有する円弧の組み合わせ、又は円弧と直線との組み合わせによる複合的な形状部分である複合Ｒ領域を形成している。
【００２５】
ボウル面８の正面部８ａは、比較的深さの浅い凹曲面として形成される。ボウル面８は、スプレッダ２２を横切る水平断面において、左側端部８ｂから小便器１の背面の壁取付面９（本発明の小便器は、上述のように床置き式の水洗大便器においても適用でき、実際に壁面に取付けない場合においても小便器１の背面側の面として壁取付面９と称している）に垂直に降ろした垂線と、ボウル面８の正面部８ａ（例えば正面部８ａの端部における接線）とが左側端部８ｂにおいて成す角度が、４５度より大きく９０度未満の範囲の角度に形成されている。ボウル面８は、左右対称に形成されており、右側端部８ｃにおいても同様の関係が成立する。
また、図１に示すように、ボウル面８は、スプレッダ２２を横切る水平断面において、ボウル面８の左側端部８ｂと右側端部８ｃとをつなぐ線分と、この線分を直径とする円弧との間の範囲に位置するように形成されている。
【００２６】
ボウル面８の正面部８ａは、ボウル面８を水平に切った各断面におけるボウル面８の中央における正面部８ａの位置が、ボウル面８の上端８ｄから下方に向けて徐々に後退するように形成されている。さらに、ボウル面８の正面部８ａは、ボウル面８を水平に切った各断面におけるボウル面８の正面部８ａの円弧形状が、ボウル面８の上端８ｄから下方に向けて連続的に曲率半径が小さくなるように形成されている。
このようなボウル面８は、スプレッダ２２から吐水された洗浄水をボウル面８上において左右方向へ広がるように水膜を形成させることができる。また、洗浄水によってボウル面８上に広範囲に比較的薄い水膜を形成し、ボウル面８を広範囲にわたって洗浄することができる。
また、このようなボウル面８は、ボウル面８の上端８ｄから下方に向けて徐々に後退して形成されると共に、連続的に曲率半径が小さくなるように形成されているので、ボウル面８の下方において、洗浄水がボウル面８から外部に飛散することをより確実に抑制することができる。
【００２７】
また、ボウル面８は、ボウル面８の左側端部８ｂを含む左側端部と右側端部８ｃを含む右側端部とが、下方の前端部８ｅに向かうにつれて、それぞれ前方に突出するように形成されている。
このようなボウル面８は、ボウル面８の右側端部８ｃと、ボウル面８の左側端部８ｂとが、下方に向かうにつれて前方に突出するように形成されているので、ボウル面８の下方において、洗浄水がボウル面８から右側端部８ｃ又は左側端部８ｂを超えて外部に飛散することをより確実に抑制することができる。
【００２８】
なお、本発明の一実施形態においては、ボウル面８は、スプレッダ２２から吐水された洗浄水がボウル面８の左右方向に広がるように流れながら流下することができる他の形状により形成されてもよい。
【００２９】
次に、図１乃至図８により、小便器１の小便器本体２のボウル面８の棚部３２の構造を説明する。
図４は、図３のIV-IV線に沿って見た断面図であり、図５は図３のV-V線に沿って見た断面図であり、図６は図３のVI-VI線に沿って見た断面図であり、図７は図５の棚部の逆傾斜面の近傍部分を拡大して示す部分拡大断面図であり、図８は図３のVIII-VIII線に沿って見た断面図であり、図９は図３のIX-IX線に沿って見た断面図であり、図１０は図３のX-X線に沿って見た断面図であり、図１１は本発明の一実施形態による小便器の棚部の全体における、第１順傾斜面、逆傾斜面及び第２順傾斜面の傾斜の変化の様子を示す概略図である。
【００３０】
ボウル面８は、ボウル面８の左右両側の領域から、下部側且つ前方側の領域まで下降しながら延び、ボウル面８の左右両側の領域上を流下する洗浄水の一部を前方側の領域に向けて導く棚部３２を有している。棚部３２は、ボウル面８に対して横方向に延びる平面部を形成している。この棚部３２の平面部は、水が流れやすいような流路を上面に形成し、洗浄水を棚部３２に沿って右側棚部先端部３２ｏ又は左側棚部先端部３２ｐまで導くことができるようになっている。従って、棚部３２により、比較的少ない洗浄水により、ボウル面８の前方側の領域まで洗浄水を到達させてボウル面８を従来よりも広範囲に確実に洗浄することができる。
【００３１】
ボウル面８の棚部３２は、棚部３２の上部領域において、ボウル面８の内側に向けられるように傾斜している第１順傾斜面３２ａと、内側向きのボウル面８に対して外側に向けられるように傾斜している逆傾斜面３２ｂと、棚部３２の下部領域において、ボウル面８の内側に向けられるように傾斜している第２順傾斜面３２ｃと、を備えている。
ボウル面８の棚部３２は、小便器本体２の中心に延びる中央平面Ｐに対して左右対称な形状により、左右の棚部３２がそれぞれ形成されている。
【００３２】
図４に示すように、第１順傾斜面３２ａは、ボウル面８の内側に向けられるように、すなわち、内側向きのボウル面８にしたがうように内側に向けられるように傾斜している。第１順傾斜面３２ａの傾斜面（平坦面）の向きは、内側向きのボウル面８の向きに順じた内側向き（近傍のボウル面８の内側向きとは向きが若干異なるけれどもボウル面８の内側に向けられている内側向き）となっている。第１順傾斜面３２ａが、ボウル面８の内側に向けられるとは、第１順傾斜面３２ａの平坦面が、ボウル面８の内側の中央平面Ｐに向かう向きに向けられていることをいう。
このように、第１順傾斜面３２ａは、中央平面Ｐ上の位置に向かう向きに向けられている。より具体的には、第１順傾斜面３２ａの面に直交する垂線Ｖ１が、中央平面Ｐと（中央平面Ｐを延ばした面と）、交差できるような向きで、内方に向かって延びるように第１順傾斜面３２ａが内側向きに形成されている。
【００３３】
図４に示すように、棚部３２の上端部領域における水平断面において、第１順傾斜面３２ａは、棚部３２の第１順傾斜面内側端部３２ｄが第１順傾斜面外側端部３２ｅよりも後方側に位置することにより形成されている。第１順傾斜面内側端部３２ｄが、第１順傾斜面外側端部３２ｅよりも後方側に位置するため、第１順傾斜面３２ａは、小便器本体２の前後方向において、ボウル面８の正面よりも内側に向けられて形成されている。
図４に示すように、第１順傾斜面３２ａは、ボウル面８の第１順傾斜面内側端部３２ｄに対するボウル面８の垂線Ｖ２よりも、前方側に延びるように形成されている。よって、第１順傾斜面３２ａと、ボウル面８とは、９０°よりも大きな角度、すなわち鈍角の角度ａ１を形成している。
【００３４】
図１１においては、第１順傾斜面３２ａの領域において、ボウル面８上に設けられる第１順傾斜面内側端部３２ｄに対し第１順傾斜面外側端部３２ｅが前方側にずれて配置され、第１順傾斜面内側端部３２ｄと第１順傾斜面外側端部３２ｅを結ぶ平面が内側向きの傾斜面を形成していることが示されている。
すなわち、図４及び図１１に示すように、本実施形態においては、第１順傾斜面３２ａは、第１順傾斜面内側端部３２ｄが、第１順傾斜面外側端部３２ｅよりもＬ１ｍｍの距離後方側となるような位置に形成されている。例えば、Ｌ１ｍｍは、０ｍｍよりも大きく且つ４ｍｍ以下となるような範囲に形成されている。従って、第１順傾斜面３２ａは、中央平面Ｐに向かう内側向きに傾いている平面を形成している。
【００３５】
また、図８に示すように、棚部３２の上端部領域における棚部３２の傾斜面と直交する方向の断面において、第１順傾斜面３２ａは、棚部３２の第１順傾斜面内側端部３２ｄが第１順傾斜面外側端部３２ｅよりも下方側に位置することにより形成されている。第１順傾斜面内側端部３２ｄが、第１順傾斜面外側端部３２ｅよりも下方側（低い位置）に位置するため、第１順傾斜面３２ａは、小便器本体２の上下方向において、ボウル面８の内側に向けられて形成されている。第１順傾斜面３２ａは、水平よりも内向きに傾けられて形成されている。
図８に示すように、第１順傾斜面３２ａは、第１順傾斜面３２ａの面に直交する垂線Ｖ１が、中央平面Ｐに向かって延びるように形成されている。よって、第１順傾斜面３２ａは、ボウル面８の内側に向かって傾いている平坦面を形成している。
【００３６】
図１１に示すように、第１順傾斜面３２ａは、棚部３２において、棚部３２の上端３２ｊより下方側の所定長さにわたって形成されている。例えば、第１順傾斜面３２ａは、棚部３２の上端３２ｊから、棚部３２全体の長さの４分の１程度の長さにわたって形成されている。第１順傾斜面３２ａは、棚部３２において、棚部３２の上端３２ｊと、逆傾斜面３２ｂの上端３２ｌとの間に形成されている。例えば、棚部３２の全長Ｌを５００ｍｍとすれば、逆傾斜面３２ｂの長さは、１２５ｍｍ程度の長さに形成されている。
【００３７】
図６に示すように、第２順傾斜面３２ｃは、ボウル面８の内側に向けられるように、すなわち、内側向きのボウル面８にしたがうように内側に向けられるように傾斜している。第２順傾斜面３２ｃの傾斜面（平坦面）の向きは、内側向きのボウル面８の向きに順じた内側向き（近傍のボウル面８の内側向きとは向きが若干異なるけれどもボウル面８の内側に向けられている内側向き）となっている。第２順傾斜面３２ｃが、ボウル面８の内側に向けられるとは、第２順傾斜面３２ｃの平坦面が、ボウル面８の内側の中央平面Ｐに向かう向きに向けられていることをいう。
このように、第２順傾斜面３２ｃは、中央平面Ｐ上の位置に向かう向きに向けられている。より具体的には、第２順傾斜面３２ｃの面に直交する垂線Ｖ３が、中央平面Ｐと（中央平面Ｐを延ばした面と）、交差できるような向きで、内方に向かって延びるように第２順傾斜面３２ｃが内側向きに形成されている。
【００３８】
図６に示すように、棚部３２の下部領域における水平断面において、第２順傾斜面３２ｃは、棚部３２の第２順傾斜面内側端部３２ｆが第２順傾斜面外側端部３２ｇよりも後方側に位置することにより形成されている。第２順傾斜面内側端部３２ｆが、第２順傾斜面外側端部３２ｇよりも後方側に位置するため、第２順傾斜面３２ｃは、小便器本体２の前後方向において、ボウル面８の正面よりも内側に向けられて形成されている。
図６に示すように、第２順傾斜面３２ｃは、ボウル面８の第２順傾斜面内側端部３２ｆの近傍領域に対するボウル面８の垂線Ｖ４よりも、前方側に延びるように形成されている。よって、第２順傾斜面３２ｃと、ボウル面８とは、９０°よりも大きな角度、すなわち鈍角の角度ａ２を形成している。本発明の一実施形態においては、第２順傾斜面３２ｃの角度ａ２は、第１順傾斜面３２ａの角度ａ１よりも大きく形成されている。
【００３９】
図１１においては、第２順傾斜面３２ｃの領域において、ボウル面８上に設けられる第２順傾斜面内側端部３２ｆに対し第２順傾斜面外側端部３２ｇが前方側にずれて配置され、第２順傾斜面内側端部３２ｆと第２順傾斜面外側端部３２ｇを結ぶ平面が内側向きの傾斜面を形成していることが示されている。
すなわち、図６及び図１１に示すように、本実施形態においては、第２順傾斜面３２ｃは、第２順傾斜面内側端部３２ｆが、第２順傾斜面外側端部３２ｇよりもＬ２ｍｍの距離後方側となるような位置に形成されている。例えば、Ｌ２ｍｍは、０ｍｍよりも大きく且つ８ｍｍ以下となるような範囲に形成されている。従って、第２順傾斜面３２ｃは、中央平面Ｐに向かう内側向きに傾いている平面を形成している。
図１１に示すように、例えば、第２順傾斜面３２ｃは、第２順傾斜面内側端部３２ｆと第２順傾斜面外側端部３２ｇとの距離Ｌ２が、第１順傾斜面３２ａの同様の距離Ｌ１よりも大きく形成され、第２順傾斜面３２ｃは第１順傾斜面３２ａよりもより内側向きに向けられて形成されている。
【００４０】
また、図１０に示すように、棚部３２の下部領域における棚部３２の傾斜面と直交する方向の断面において、第２順傾斜面３２ｃは、棚部３２の第２順傾斜面内側端部３２ｆが第２順傾斜面外側端部３２ｇよりも下方側に位置することにより形成されている。第２順傾斜面内側端部３２ｆが、第２順傾斜面外側端部３２ｇよりも下方側（低い位置）に位置するため、第２順傾斜面３２ｃは、小便器本体２の上下方向において、ボウル面８の内側に向けられて形成されている。第２順傾斜面３２ｃは、水平よりも内向きに傾けられて形成されている。
図１０に示すように、第２順傾斜面３２ｃは、第２順傾斜面３２ｃの面に直交する垂線Ｖ３が、中央平面Ｐに向かって延びるように形成されている。よって、第２順傾斜面３２ｃは、ボウル面８の内側に向かって傾いている平坦面を形成している。
【００４１】
図１１に示すように、第２順傾斜面３２ｃは、棚部３２において、棚部３２の中間点３２ｍより下方側の所定長さにわたって形成されている。例えば、第２順傾斜面３２ｃは、棚部３２の中間点３２ｍから、棚部全体の長さＬの２分の１程度の長さにわたって形成されている。第２順傾斜面３２ｃは、棚部において、棚部３２の中間点３２ｍ（逆傾斜面３２ｂの下端）と、棚部３２の下端３２ｋとの間に形成されている。例えば、棚部の全長Ｌを５００ｍｍとすれば、第２順傾斜面３２ｃの長さは、２５０ｍｍ程度の長さに形成されている。第２順傾斜面３２ｃは、第１順傾斜面３２ａよりも長い長さに形成されている。
【００４２】
次に、図５、図７及び図９に示すような、逆傾斜面３２ｂについて形成する。逆傾斜面３２ｂは、内側向きのボウル面８に対して外側に向けられるように傾斜している。内側向きのボウル面８に対して外側とは、逆傾斜面３２ｂの面の向きが、ボウル面８の内側方向よりも外側方向に向けられていることをいう。逆傾斜面３２ｂの面に直交する垂線Ｖ５が、小便器本体２の中心を通る中央平面Ｐと交差する向きよりも外側の向き、すなわち中央平面Ｐと交差しない向きに向かって外方に延びるように逆傾斜面３２ｂが外側向きに形成されている。よって、洗浄水は逆傾斜面３２ｂ上に乗りやすく且つ逆傾斜面３２ｂ上から内向きに流れ落ちにくく、且つ逆傾斜面３２ｂ上を逆傾斜面３２ｂの下方に向かって逆傾斜面３２ｂに沿うように流れやすくなっている。
【００４３】
図５に示すように、棚部３２の中央より上方側の領域における水平断面において、逆傾斜面３２ｂは、逆傾斜面内側端部３２ｈが逆傾斜面外側端部３２ｉよりも前方側に位置することにより形成されている。逆傾斜面内側端部３２ｈが、逆傾斜面外側端部３２ｉよりも前方側に位置するため、逆傾斜面３２ｂは、ボウル面８の正面よりも外側に向けられて形成されている。逆傾斜面３２ｂは、左右方向（幅方向）において棚部３２そのものが逆傾斜面内側端部３２ｈから逆傾斜面外側端部３２ｉまでの領域の全体が平坦に傾斜している面を形成している。また、逆傾斜面３２ｂは、水平断面において、逆傾斜面内側端部３２ｈから逆傾斜面外側端部３２ｉまで一定の傾斜を有する外側向きの傾斜面を形成している。
図７に示すように、逆傾斜面３２ｂは、ボウル面８の逆傾斜面内側端部３２ｈに対するボウル面８の垂線Ｖ６と、逆傾斜面３２ｂとの成す角度ａ３が０度よりも大きく且つ３０度以下となるような角度に形成されている。より好ましくは、逆傾斜面３２ｂは、ボウル面８の垂線Ｖ６と、逆傾斜面３２ｂとの成す角度ａ３が０度よりも大きく且つ１５度以下となるような角度に形成されている。例えば、逆傾斜面３２ｂは、ボウル面８の垂線Ｖ６と、逆傾斜面３２ｂとの成す角度ａ３が１５度となるように形成されている。よって、逆傾斜面３２ｂと、ボウル面８とは、鋭角の角度ａ４を形成している。
【００４４】
図１１においては、逆傾斜面３２ｂの領域において、ボウル面８上に設けられる逆傾斜面内側端部３２ｈに対し逆傾斜面外側端部３２ｉが後方側にずれて配置され、逆傾斜面内側端部３２ｈと逆傾斜面外側端部３２ｉを結ぶ平面が外側向きの傾斜面を形成していることが示されている。
すなわち、図５及び図１１に示すように、本実施形態においては、逆傾斜面３２ｂは、逆傾斜面外側端部３２ｉが、逆傾斜面内側端部３２ｈよりもＬ３ｍｍの距離後方側となるような位置に形成されている。例えば、Ｌ３ｍｍは、０ｍｍよりも大きく且つ５ｍｍ以下となるような範囲に形成されている。従って、逆傾斜面３２ｂは、中央平面Ｐに向かわず外側向きに傾いている平面を形成している。
【００４５】
また、図９に示すように、棚部３２の中央より上方側の領域における棚部３２の傾斜面と直交する方向の断面において、逆傾斜面３２ｂは、逆傾斜面内側端部３２ｈが逆傾斜面外側端部３２ｉよりも上方側に位置することにより形成されている。逆傾斜面外側端部３２ｉが、逆傾斜面内側端部３２ｈよりも下方側（低い位置）に位置するため、逆傾斜面３２ｂは、小便器本体２の上下方向において、ボウル面８の外側に向けて傾けられて形成されている。逆傾斜面３２ｂは、水平よりも外向きに傾けられて形成されている。
図９に示すように逆傾斜面３２ｂは、逆傾斜面３２ｂの面に直交する垂線Ｖ５が、中央平面Ｐから離れる外側の向き、すなわち中央平面Ｐと交差しない向きに向かって外方に延びるように逆傾斜面３２ｂが外側向きに形成されている。
【００４６】
図１１に示すように、逆傾斜面３２ｂは、その上端３２ｌが、スプレッダ２２から吐水され左右方向に広がった洗浄水の両端が棚部３２に到達する位置の近傍に形成されている。スプレッダ２２から吐水され左右両端部方向まで広がった洗浄水が逆傾斜面３２ｂの上端に集まるように到達し、逆傾斜面３２ｂに流れ込みやすくなっている。また、逆傾斜面３２ｂは、その下端が、棚部３２の中間点３２ｍの近傍に形成されている。例えば、逆傾斜面３２ｂは、スプレッダ２２から吐水されて左右側端部近傍まで広がった洗浄水の両端近傍の流れＦ１が、棚部３２上に到達する部分から、棚部３２の中間点３２ｍの近傍まで形成されている。例えば、逆傾斜面３２ｂは、棚部３２において、棚部３２の中間点３２ｍの近傍より上方側において棚部３２全体の長さＬの４分の１程度の長さにわたって形成されている。例えば、棚部３２の全長Ｌを５００ｍｍとすれば、逆傾斜面３２ｂの長さは、１２５ｍｍ程度の長さに形成されている。
【００４７】
棚部３２は、上方から第１順傾斜面３２ａを形成し、第１順傾斜面３２ａの下端（逆傾斜面３２ｂの上端３２ｌ）から下方側において、逆傾斜面３２ｂを形成し、逆傾斜面３２ｂの下端３２ｍから下方側において、第２順傾斜面３２ｃを形成するようになっている。すなわち、棚部３２は、上方から順番に、上端側の順傾斜面を形成する第１順傾斜面３２ａ、逆傾斜面３２ｂ、下端側の順傾斜面を形成する第２順傾斜面３２ｃを有している。
【００４８】
図４、図５及び図６に示すように、上面視で、逆傾斜面３２ｂは、第１順傾斜面３２ａの位置よりも前方側に形成されている。また、上面視で、棚部３２は、小便器１の後方側から、前方側に向かって、第１順傾斜面３２ａ、逆傾斜面３２ｂ、第２順傾斜面３２ｃの順に形成されている。
【００４９】
本発明の一実施形態の小便器１の棚部３２の逆傾斜面３２ｂを配置することにより、洗浄水を逆傾斜面３２ｂからボウル面８に向かって流下させることを抑制し、棚部３２上を前方側の領域に向けて導くことができる。
また、逆傾斜面３２ｂを第２順傾斜面３２ｃの上流側に配置することにより、逆傾斜面３２ｂからボウル面８に向かって流下させることを抑制した洗浄水を、第２順傾斜面３２ｃからボウル面８に向かって徐々に流下させることができる。また、逆傾斜面３２ｂを第１順傾斜面３２ａと第２順傾斜面３２ｃとの間に配置することにより、第１順傾斜面３２ａ及び第２順傾斜面３２ｃから、洗浄水をボウル面８のより広い範囲にわたって流下させることができる。
【００５０】
ボウル面８は、ボウル面８の前端部８ｅの領域において、右側の壁面と左側の壁面が鋭角を形成するように接続されている。ボウル面８の下部の前端部８ｅが鋭角に前方に突出することにより、使用者の足の間に前端部８ｅが位置しやすく、使用者が小便器１に近づいて用を足しやすくなっている。従って、ボウル面８の棚部３２は、ボウル面８の前端部８ｅの近傍の領域において、右側の棚部３２の向きと、左側の棚部３２の向きとの成す角が鋭角に形成されている。
【００５１】
ボウル面８の棚部３２は、さらに、ボウル面８の前端部８ｅの領域において棚部３２を右側の棚部３２と左側の棚部３２とに分断することにより棚部のない領域３６を形成する凹部３２ｎを備えている。
棚部３２の凹部３２ｎは、小便器本体２の中央の先端側に形成されている。棚部３２の凹部３２ｎは、棚部３２を所定長さ離間させるように分断している。図２に示すように、右側の棚部３２の先端の右側棚部先端部３２ｏと、左側の棚部３２の先端の左側棚部先端部３２ｐとの間が離間するように形成されている。
【００５２】
凹部３２ｎの棚部のない領域３６は、右側棚部先端部３２ｏと、左側棚部先端部３２ｐとの内側（右側棚部先端部３２ｏと、左側棚部先端部３２ｐとの間）に形成されている。棚部のない領域３６とは、右側棚部先端部３２ｏと左側棚部先端部３２ｐとを連続した平面によってほぼ平坦に接続するような棚部、又は、右側棚部先端部３２ｏ及び左側棚部先端部３２ｐの上面の一部を互いに延長して接続するような棚部も存在していない。さらに、棚部のない領域３６においては、右側棚部先端部３２ｏと左側棚部先端部３２ｐとの間を接続する、比較的幅の狭い棚部も形成されていない。よって、棚部のない領域３６においては、右側棚部先端部３２ｏ上に形成される流路と、左側棚部先端部３２ｐ上に形成される流路とを合流させるような平坦な流路を形成する棚部は形成されていない。
【００５３】
凹部３２ｎの棚部のない領域３６は、その前端が、ボウル面８の前端部８ｅの内側向き面８ｆにより形成されている。
ボウル面８の前端部８ｅの内側向き面８ｆの棚部のない領域３６の部分には棚部が形成されておらず、内側向き面８ｆの上縁部８ｇから下端部８ｈまで比較的平坦なボウル面８を形成している。ボウル面８は、内側向き面８ｆの上縁部８ｇから下端部８ｈまで、横向きに突出する棚部が存在しないような、比較的滑らかな曲線形状により形成されていてもよい。
【００５４】
また、凹部３２ｎの棚部のない領域３６は、その左右両側が、左側棚部先端部３２ｐから下方に延びる左側縦壁３２ｑと、右側棚部先端部３２ｏから下方に延びる右側縦壁３２ｒとにより形成されている。
このように、凹部３２ｎの棚部のない領域３６は、左側縦壁３２ｑと、右側縦壁３２ｒとにより挟まれた凹形状の内側領域を形成している。凹部３２ｎの棚部のない領域３６の底面を形成する凹部底面３６ａは、ボウル面８の底面８ｉにより形成されている。ボウル面８の底面８ｉは、ボウル面８の最も低い部分の底面を形成している。ボウル面８の底面８ｉは、ボウル面８の下部において横向きに排出口１０に延びる比較的平坦且つ緩やかな傾斜の曲面である。凹部３２ｎの凹部底面３６ａをボウル面８の底面８ｉまで比較的低い位置に形成することができる。図３に示すように、凹部底面３６ａとボウル面８の底面８ｉとはほぼ平坦に接続され、ほぼ面一の面（緩やかな曲面）を形成している。
従って、棚部のない領域３６は、左右両側の右側棚部先端部３２ｏ及び左側棚部先端部３２ｐの棚部の上面の位置が、凹部底面３６ａの高さから比較的高い高さ位置となっている。よって、右側棚部先端部３２ｏ及び左側棚部先端部３２ｐの棚部の上面と、凹部底面３６ａとの間において、右側棚部先端部３２ｏ及び左側棚部先端部３２ｐのそれぞれの上面を中央向きに流れてくる洗浄水が、重力を受けて、棚部のない領域３６内に向かって流れ落ち、これらの棚部先端部の上面より低い位置において合流する（衝突する）ように形成されている。
なお、変形例として、凹部底面３６ａは、ボウル面８の底面８ｉに限られず、ボウル面８の底面８ｉより高い位置に他の面として形成されていてもよい。
【００５５】
従来の右側棚部先端部と、左側棚部先端部とが前端部において接続されている場合においては、左右両側の棚部を流下する洗浄水が合流する合流位置は、その小便器本体２の中央の棚部の接続位置となっている。このとき、先端部の上縁部から合流位置までの距離は、先端部の上縁部から右側棚部先端部又は左側棚部先端部近傍までの距離となっている。
これに対し、本発明において、右側棚部先端部３２ｏと、左側棚部先端部３２ｐとの間に棚部のない領域３６が形成されている場合においては、左右両側の棚部３２を流下する洗浄水が合流する合流位置Ｃ１は、右側棚部先端部３２ｏ及び左側棚部先端部３２ｐの上面より低い位置となっており、棚部のない領域３６の内部の位置となっている。このとき、前端部８ｅの上縁部８ｇから合流位置Ｃ１までの距離は距離Ｌ１となっている。この上縁部８ｇから合流位置Ｃ１までの距離は距離Ｌ１は、従来の上縁部から合流位置までの距離よりも長くなっている。従って、右側棚部先端部３２ｏ及び左側棚部先端部３２ｐを比較的高い位置に配置しようとする場合、例えば、前端部８ｅと、右側棚部先端部３２ｏ及び左側棚部先端部３２ｐとの距離が１０ｍｍ〜６０ｍｍの範囲であるような場合にも、洗浄水が前端部８ｅを超えて外部に飛び出しにくくすることができる。
【００５６】
左右から合流する（衝突する）洗浄水が各棚部先端部の上面より低い位置において合流するので、洗浄水が、仮に水の衝突による飛び散りを生じたとしても、前端部８ｅを乗り越えて小便器本体２の外側まで飛び出にくくなっている。また、洗浄水が、右側棚部先端部３２ｏ及び左側棚部先端部３２ｐのそれぞれの上面から、合流位置Ｃ１に向かって、垂直方向下方向きの流れを形成していることから、合流した洗浄水から生じる水飛びについても下方向きに生じやすくなっており、洗浄水が、上方向きに、前端部８ｅを乗り越えて小便器本体２の外側まで飛び出にくくなっている。本発明においては、合流時において、合流する洗浄水の流れの垂直方向下方向きの方向成分が、従来の棚部が存在している場合における合流時と比べて、大きくなっている。
【００５７】
次に、本発明の一実施形態による小便器の動作を説明する。
先ず、本発明の一実施形態による小便器１による小便洗浄動作の流れを説明する。
通常、使用者が小便器１の前に立つと、人体検知センサ２４が使用者の存在を検出して検出情報を制御ユニット２６に送り、制御ユニット２６は使用者の存在を認識する。使用者が小便器１のボウル面８に放尿を終え、放尿を済ませた使用者が小便器１の前から立ち去り、制御ユニット２６が非検出状態となると、制御ユニット２６は使用者が小便器１から立ち去ったと判断して、制御ユニット２６が小便洗浄を開始する。
【００５８】
制御ユニット２６は、小便洗浄動作においては、開閉弁１８に制御信号を送って開閉弁１８を開き、給水管１４から供給される洗浄水を供給通路２０に供給させる。供給通路２０に供給された洗浄水は、スプレッダ２２の吐水口部２８から、ボウル面８の中央領域から広範囲の左右領域まで広がるように吐水される。図１において、吐水口部２８から吐水され、左右側端部近傍まで広がった洗浄水の流れＦ１を示す。
【００５９】
スプレッダ２２の吐水口部２８は扇形形状に比較的広く開口するように形成されているので、吐水口部２８から吐水される洗浄水は、ボウル面８の左右上方から中央下方まで広範囲に吐水される。
スプレッダ２２から吐水された洗浄水は、ボウル面８の正面部８ａの比較的深さの浅い凹曲面の形状により、ボウル面８の中央部から左右両端部方向まで導かれることができる。スプレッダ２２から吐水された洗浄水は、左右方向に広く吐水され、ボウル面８全体に効果的に水膜を形成できるように誘導される。
【００６０】
スプレッダ２２から吐水された洗浄水は、ボウル面８の正面部８ａ上を左右方向に広がるように流れながら流下し、棚部３２に到達する。
棚部３２の上端部領域に設けられた第１順傾斜面３２ａに流下した洗浄水は、その一部は、矢印Ｆ２に示すように、図８に示すような第１順傾斜面３２ａの平坦面方向に沿って、棚部３２上を前方側（逆傾斜面３２ｂ側）に向かって流れる。一方、第１順傾斜面３２ａに流下した洗浄水のうち他の部分は、矢印Ｆ３に示すように、第１順傾斜面３２ａの内側向きの傾きに沿って、さらに下方のボウル面８に広がるように流下する。第１順傾斜面３２ａは、逆傾斜面３２ｂよりも高い位置に位置し、洗浄水が第１順傾斜面３２ａからボウル面８上を広がるように流下するので、逆傾斜面３２ｂの下方側のボウル面８についても、第１順傾斜面３２ａから流下する洗浄水により十分に洗浄することができる。このように、第１順傾斜面３２ａからボウル面８に流下する洗浄水によりボウル面８の両側の領域を広範囲に洗浄することができる。
【００６１】
流れＦ１に示すように、棚部３２の上部領域に設けられた逆傾斜面３２ｂに流下した洗浄水は、概ね、図５及び図９に示すように、矢印Ｆ４に示すように、外側向きに傾斜している逆傾斜面３２ｂ上から棚部３２の下流側に向かって棚部３２上を流れる。逆傾斜面３２ｂは、ボウル面８に対し外向きに形成されているので、逆傾斜面３２ｂ上に存在する洗浄水は、内側のボウル面８に向かって流れにくくなっている。従って、洗浄水が逆傾斜面３２ｂから内側のボウル面８に向かって流れることが抑制されている。洗浄水は、矢印Ｆ４に示すように、逆傾斜面外側端部３２ｉ側に寄って棚部３２の下流側（第２順傾斜面３２ｃ側）に向かって流れやすくなっている。
逆傾斜面３２ｂは、ボウル面８を流下してきた洗浄水の集まりやすい逆傾斜面３２ｂの上端３２ｌから、中間点３２ｍまでの所定の距離にわたって形成されているので、洗浄水の流れが、矢印Ｆ４に示すような向きに指向され、逆傾斜面３２ｂの終了後も下方の前方側に指向された流れを形成しやすくすることができる。
【００６２】
流れＦ４に示すように、逆傾斜面３２ｂの下端３２ｍから第２順傾斜面３２ｃ流入した洗浄水は、その一部は、矢印Ｆ５に示すように、図６及び図１０に示すような第２順傾斜面３２ｃの平坦面方向に沿って、棚部３２上を下端３２ｋに向かって流れる。棚部３２上を下端３２ｋまで流下する洗浄水によりボウル面８の前方側の前端近傍の領域を広範囲に洗浄することができる。
一方、第２順傾斜面３２ｃに流入した洗浄水のうち他の部分は、矢印Ｆ６に示すように、第２順傾斜面３２ｃの内側向きの傾きに沿って、さらに下方のボウル面８に広がるように流下する。このように、第２順傾斜面３２ｃからボウル面８に流下する洗浄水によりボウル面８の前方側の両側の領域を広範囲に洗浄することができる。
【００６３】
このように、スプレッダ２２の吐水口部２８から吐水される洗浄水は、スプレッダ２２から放射状方向に吐水された後、棚部３２によって、ボウル面８の面上を左右両側の領域から前方側の領域まで洗浄できない部分を生じさせないように広範囲に流れ、ボウル面８を流下しながらボウル面８全体の良好な洗浄を行うことができる。
【００６４】
図１乃至図３において、流れＦ７に示すように、右側の棚部３２の右側棚部先端部３２ｏの上面から凹部３２ｎに流入する洗浄水と、左側の棚部３２の左側棚部先端部３２ｐの上面から凹部３２ｎに流入する洗浄水とが凹部３２ｎの棚部のない領域３６において合流される。凹部３２ｎに流入する洗浄水は、棚部のない領域３６において棚部が存在していないので、右側棚部先端部３２ｏ及び左側棚部先端部３２ｐから斜め下方に自由落下するように流下する。この際、前方側の洗浄水の流れは、前端部８ｅの内側向き面８ｆに沿って流れながら、前端部８ｅの内側向き面８ｆを良好に洗浄することができ、且つ内側向き面８ｆに棚部が形成されていないので、内側向き面８ｆに沿って下端部８ｈまで流下することができる。
主に、右側棚部先端部３２ｏ及び左側棚部先端部３２ｐから棚部のない領域３６に流下する洗浄水は、やや下方の空中における合流位置（合流領域）Ｃ１においてぶつかり合うように混ざり合い凹部底面３６ａに向かって流下する。
また、比較的多くの洗浄水が、凹部３２ｎの内側向き面８ｆ、左側縦壁３２ｑ又は右側縦壁３２ｒのいずれかに沿うように流れ落ちることとなるため、洗浄水同士が落下中に衝突又は合流した場合においても、衝突等による水跳ね、飛散等が生じにくく、生じたとしても前端部８ｅを乗り越えて外部に飛び出しにくくなっている。
【００６５】
右側棚部先端部３２ｏ及び左側棚部先端部３２ｐの上面より下方の合流位置Ｃ１において合流する洗浄水が、右側棚部先端部３２ｏ及び左側棚部先端部３２ｐの上面より合流位置Ｃ１まで落下している分、合流により洗浄水の飛散を生じさせる場合にも、前端部８ｅの上縁部８ｇを乗り越えにくくすることができ、洗浄水がボウル面８から外部に飛散することを抑制することができる。
右側棚部先端部３２ｏ及び左側棚部先端部３２ｐの上面より棚部のない領域３６に流下した洗浄水は、凹部底面３６ａに着水する。凹部底面３６ａはボウル面８の底面８ｉにより形成されているので、洗浄水は、右側棚部先端部３２ｏ及び左側棚部先端部３２ｐの上面よりボウル面８の底面８ｉまでボウル面８内において可能な限り低くまで流下することができ、さらに、合流位置Ｃ１及び凹部底面３６ａへの着水位置が比較的低く位置される。従って、合流位置Ｃ１及び凹部底面３６ａの着水位置において生じやすい洗浄水の飛散が前端部８ｅの上縁部８ｇを超えて外部に到達することを抑制することができる。
【００６６】
ボウル面８を流下した洗浄水は、排出口１０より排出され、この下流の排水トラップ管路１２を通過し、さらに下流の排水配管１３に向かって流れる。スプレッダ２２の吐水口部２８からの所定の瞬間流量の吐水が一定時間継続されると、制御ユニット２６は、開閉弁１８を閉止して、スプレッダ２２からの吐水を終了させ、小便洗浄動作を終了させる。
【００６７】
次に、上述した本発明の第１実施形態による小便器の作用効果を説明する。
上述した本実施形態による小便器１によれば、棚部３２がボウル面８の前端部８ｅの領域において棚部３２を右側の棚部と左側の棚部とに分断する棚部のない領域３６を形成する凹部３２ｎを備えているので、左右両側の棚部３２上をボウル面８の前端部８ｅの領域に向かって流下する洗浄水が、凹部３２ｎの棚部のない領域３６において落下しながら合流される。従って、ボウル面８の前端部８ｅにおいて左右両側の棚部３２から合流する洗浄水がボウル面８の前端部８ｅから外部に飛散することを抑制することができる。
【００６８】
また、本実施形態による小便器１においては、凹部３２ｎの凹部底面３６ａをボウル面８の底面８ｉまでボウル面８内の最も低い部分に形成することができる。従って、凹部３２ｎの棚部のない領域３６で合流された洗浄水が、ボウル面８の底を形成する凹部底面３６ａに着水するので、合流した洗浄水及び凹部底面３６ａに着水した洗浄水がボウル面８の前端部８ｅから外部に飛散することをより確実に抑制することができる。
【００６９】
また、本実施形態による小便器１においては、ボウル面８は、ボウル面８の上端８ｄから下方に向けて徐々に後退して形成されると共に、連続的に曲率半径が小さくなるように形成されているので、ボウル面８の下方において、洗浄水がボウル面８から外部に飛散することをより確実に抑制することができる。
【００７０】
また、本実施形態による小便器１においては、ボウル面８は、ボウル面８の右側端部８ｃと、ボウル面８の左側端部８ｂとが、下方に向かうにつれて前方に突出するように形成されているので、ボウル面８の下方において、洗浄水がボウル面８から外部に飛散することをより確実に抑制することができる。
【符号の説明】
【００７１】
１      小便器
２      小便器本体
３      蓋
４      自動便器洗浄ユニット
６      収納室
７      前面
８      ボウル面
８ａ    正面部
８ｂ    左側端部
８ｃ    右側端部
８ｄ    上端
８ｅ    前端部
８ｆ    内側向き面
８ｇ    上縁部
８ｈ    下端部
８ｉ    底面
９      壁取付面
１０    排出口
１２    排水トラップ管路
１３    排水配管
１４    給水管
１６    流量調整装置
１８    開閉弁
２０    供給通路
２２    スプレッダ
２４    人体検知センサ
２６    制御ユニット
２８    吐水口部
３０    供給通路
３２    棚部
３２ａ  第１順傾斜面
３２ｂ  逆傾斜面
３２ｃ  第２順傾斜面
３２ｄ  第１順傾斜面内側端部
３２ｅ  第１順傾斜面外側端部
３２ｆ  第２順傾斜面内側端部
３２ｇ  第２順傾斜面外側端部
３２ｈ  逆傾斜面内側端部
３２ｉ  逆傾斜面外側端部
３２ｊ  上端
３２ｋ  下端
３２ｌ  上端
３２ｍ  中間点
３２ｎ  凹部
３２ｏ  右側棚部先端部
３２ｐ  左側棚部先端部
３２ｑ  左側縦壁
３２ｒ  右側縦壁
３６    棚部のない領域
３６ａ  凹部底面
ａ１    角度
ａ２    角度
ａ３    角度
ａ４    角度
Ｃ１    合流位置
Ｇ      床面
Ｌ      全長
Ｌ１    距離
Ｌ２    距離
Ｐ      中央平面
Ｗ      壁面
【図１】
2017031642.tif 000003
【図２】
2017031642.tif 000004
【図３】
2017031642.tif 000005
【図４】
2017031642.tif 000006
【図５】
2017031642.tif 000007
【図６】
2017031642.tif 000008
【図７】
2017031642.tif 000009
【図８】
2017031642.tif 000010
【図９】
2017031642.tif 000011
【図１０】
2017031642.tif 000012
【図１１】
2017031642.tif 000013